(57)【特許請求の範囲】
【請求項１】
車両の運転者による制動操作部材の操作量に応じて、前記車両の車輪と一体となって回転する回転部材に摩擦部材を押圧する電気モータと、
前記車両の運転者によって操作される駐車スイッチの信号に応じて前記電気モータの回転をロックして前記車両に駐車ブレーキを効かせるロック機構と、
前記摩擦部材が前記回転部材を押圧する押圧力を取得する押圧力取得手段と、
前記電気モータ、及び、前記ロック機構を駆動する制御手段と、
を備えた車両の電動制動装置において、
前記制御手段は、
前記操作量の増加に応じて前記電気モータを正転方向に回転することで前記押圧力を増加し、前記操作量の減少に応じて前記電気モータを前記正転方向とは反対方向である逆転方向に回転することで前記押圧力を減少し、
前記ロック機構は、
ラチェット歯車とつめ部材との咬み合わせによって前記駐車ブレーキを効かせ、前記電気モータが前記正転方向に回転されることによって前記咬み合わせを解除して前記駐車ブレーキを効かなくし、
前記制御手段は、
前記駐車スイッチがオフからオンに切り替えられた時に、
前記押圧力が予め設定された下方値よりも小さい場合には、前記電気モータへの通電量を増加し、前記押圧力が前記下方値以上になった時点で前記ロック機構の作動を開始し、
前記押圧力が前記下方値以上の予め設定された上方値よりも大きい場合には、前記運転者が前記操作量を減少し、前記押圧力が前記上方値以下になることを待って、前記押圧力が前記上方値以下になった時点で前記ロック機構の作動を開始するよう構成された、車両の電動制動装置。
【発明の詳細な説明】
【技術分野】
【０００１】
本発明は、車両の電動制動装置に関する。
【背景技術】
【０００２】
特許文献１には、「ブレーキドラムにブレーキディスクロータを一体に形成し、走行時は、ディスクブレーキ装置で制動作用を行い、駐車時は、ドラムブレーキ装置で制動作用をするドラムインディスクブレーキ装置」について記載されている。このような制動装置においては、通常ブレーキと駐車ブレーキとが別個に動作されるため、通常ブレーキと駐車ブレーキとは干渉することがない。
【０００３】
本出願人は、例えば、特許文献２に記載されるような、１つの電気モータによって、通常ブレーキ（運転者のブレーキペダルの踏み込み操作によって行われる制動）と駐車ブレーキ（車両の停止状態を維持する制動）とが行われる電動制動装置について開発を行っている。ここで、駐車ブレーキは、ラチェット歯車ＲＣＨとつめ部材ＴＳＵとから構成されるロック機構ＬＯＫによって電気モータＭＴＲの動きを拘束することで、その機能が発揮される。さらに、電気モータＭＴＲの制御において、通常ブレーキと駐車ブレーキとの干渉を抑制するために、電気モータＭＴＲの目標通電量を決定する際に、選択手段ＳＮＴによって、通常ブレーキ用目標値Ｉｍｓと駐車ブレーキ用目標値Ｉｐｋとのうちで、大きい方の値が、最終目標値Ｉｍｔとして選択される。
【０００４】
特許文献２の電動制動装置において、運転者が必要以上に強く制動操作部材（ブレーキペダル）ＢＰを操作している状況下で、運転者が駐車ブレーキ用のスイッチ（駐車スイッチ）ＰＳＷをオフ状態からオン状態に切り替えた場合を想定する。この場合、車両の停止状態を維持する保持力に対して、不必要に過大な力がキャリパに作用する。したがって、キャリパの強度を十分に確保せねばならないため、電動制動装置の大型化、重量増を招きかねない。
【先行技術文献】
【特許文献】
【０００５】
【特許文献１】特開平１０−２６７０５３号公報
【特許文献２】特開２０１５−１０７７４５号公報
【発明の概要】
【発明が解決しようとする課題】
【０００６】
本発明の目的は、車輪において、１つの電気モータとロック機構で構成される電動制動装置において、通常ブレーキと駐車ブレーキとの制御干渉が防止されるとともに、装置全体が小型化、軽量化され得るものを提供することである。
【課題を解決するための手段】
【０００７】
本発明に係る車両の電動制動装置は、車両の運転者による制動操作部材（ＢＰ）の操作量（Ｂｐａ）に応じて前記車両の車輪（ＷＨＬ）と一体となって回転する回転部材（ＫＴＢ）に摩擦部材（ＭＳＢ）を押圧する電気モータ（ＭＴＲ）と、前記車両の運転者によって操作される駐車スイッチ（ＰＳＷ）の信号（Ｐｓｗ）に応じて前記電気モータ（ＭＴＲ）の回転をロックして前記車両に駐車ブレーキを効かせるロック機構（ＬＯＫ）と、前記摩擦部材（ＭＳＢ）が前記回転部材（ＫＴＢ）を押圧する押圧力（Ｆｂａ）を取得する押圧力取得手段（ＦＢＡ）と、前記電気モータ（ＭＴＲ）、及び、前記ロック機構（ＬＯＫ）を駆動する制御手段（ＣＴＬ）と、を備える。
【０００８】
本発明に係る車両の電動制動装置の特徴は、前記制御手段（ＣＴＬ）は、前記操作量（Ｂｐａ）の増加に応じて前記電気モータ（ＭＴＲ）を正転方向に回転することで前記押圧力（Ｆｂａ）を増加し、前記操作量（Ｂｐａ）の減少に応じて前記電気モータ（ＭＴＲ）を前記正転方向とは反対方向である逆転方向に回転することで前記押圧力（Ｆｂａ）を減少し、前記ロック機構（ＬＯＫ）は、ラチェット歯車（ＲＣＨ）とつめ部材（ＴＳＵ）との咬み合わせによって前記駐車ブレーキを効かせ、前記電気モータ（ＭＴＲ）が前記正転方向に回転されることによって前記咬み合わせを解除して前記駐車ブレーキを効かなくする。そして、前記制御手段（ＣＴＬ）は、前記駐車スイッチ（ＰＳＷ）がオフからオンに切り替えられた時に、前記押圧力（Ｆｂａ）が予め設定された下方値（ｆｂｓ）よりも小さい場合には、前記電気モータ（ＭＴＲ）への通電量（Ｉｍｔ、Ｉｍａ）を増加し、前記押圧力（Ｆｂａ）が前記下方値（ｆｂｓ）以上になった時点（ｔ３）で前記ロック機構（ＬＯＫ）の作動を開始し、前記押圧力（Ｆｂａ）が前記下方値（ｆｂｓ）以上の予め設定された上方値（ｆｂｕ）よりも大きい場合には、前記運転者が前記操作量（Ｂｐａ）を減少し、前記押圧力（Ｆｂａ）が前記上方値（ｆｂｕ）以下になることを待って、前記押圧力（Ｆｂａ）が前記上方値（ｆｂｕ）以下になった時点（ｕ３）で前記ロック機構（ＬＯＫ）の作動を開始するよう構成されたことである。
【０００９】
運転者の制動操作に基づく通常ブレーキ制御を駐車ブレーキ制御よりも優先する電動制動装置において、制動操作部材ＢＰが強く操作される場合（例えば、押圧力Ｆｂａが上方値ｆｂｕ以上の場合）に、駐車スイッチＰＳＷがオフからオンに切り替えられた時点（切替時点という）で、直ちに、駐車ブレーキ用ロック機構ＬＯＫの作動が開始されると、過大な押圧力で駐車ブレーキが係合維持状態となることがあり得る。このような状況を想定した上で、制動手段ＢＲＫが設計される場合、制動手段ＢＲＫの強度を確保するため、装置全体が大型化され得る。
【００１０】
上記の構成によれば、駐車スイッチＰＳＷがオフからオンに切り替えられた切替時点で、実際の押圧力Ｆｂａが上方値ｆｂｕよりも大きい場合には、ロック機構ＬＯＫの作動は開始されず、運転者がＢＰを戻し、実際の押圧力Ｆｂａが上方値ｆｂｕ以下になることを待って、ロック機構ＬＯＫの作動が開始される。このため、制動操作部材ＢＰが強く操作された場合においても、運転者の制動操作が優先され、且つ、適正な押圧力（下方値ｆｂｓから上方値ｆｂｕまでの範囲内）にて駐車ブレーキが係合維持状態とされる。結果、ブレーキアクチェータＢＲＫに過大な強度が要求されることなく、電動制動装置ＤＳＳが小型化、軽量化され得る。
【図面の簡単な説明】
【００１１】
【図１】本発明の実施形態に係る車両の電動制動装置の全体構成図である。
【図２】駆動手段を説明するための概要図である。
【図３】駐車ブレーキ用のロック機構の第１実施形態を説明するための概要図である。
【図４】駐車ブレーキの作動状態について説明するための状態遷移図である。
【図５】駐車ブレーキ制御の全体を説明するためのフロー図である。
【図６】駐車ブレーキ制御の係合作動における押圧力調整処理を説明するためのフロー図である。
【図７】駐車ブレーキ制御の係合作動における咬合処理を説明するためのフロー図である。
【図８】駐車ブレーキ制御の係合作動を説明するための時系列線図である。
【図９】駐車ブレーキ用のロック機構の第２実施形態を説明するための概要図である。
【発明を実施するための形態】
【００１２】
以下、本発明の実施形態に係る車両の電動制動装置について図面を参照しつつ説明する。
【００１３】
＜本発明の実施形態に係る車両の電動制動装置の全体構成＞
図１は、本発明の実施形態に係る電動制動装置ＤＳＳの全体構成図である。車両には、電動制動装置ＤＳＳ、制動操作部材ＢＰ、操作量取得手段ＢＰＡ、駐車ブレーキ用スイッチＰＳＷ、回転部材（例えば、ブレーキディスク、ブレーキドラム）ＫＴＢ、及び、摩擦部材（例えば、ブレーキパッド、ブレーキシュー）ＭＳＢが備えられる。電動制動装置ＤＳＳは、電子制御ユニットＥＣＵ、通信線ＳＧＬ、及び、制動手段ＢＲＫにて構成される。
【００１４】
制動操作部材（例えば、ブレーキペダル）ＢＰは、運転者が車両を減速するために操作する部材である。制動操作部材ＢＰの操作に応じて、制動手段ＢＲＫによって、車輪ＷＨＬの制動トルクが調整される。その結果として、車輪ＷＨＬに制動力が発生され、走行中の車両が減速される。
【００１５】
制動操作部材ＢＰには、操作量取得手段ＢＰＡが設けられる。操作量取得手段ＢＰＡによって、制動操作部材ＢＰの操作量（制動操作量）Ｂｐａが取得（検出）される。操作量取得手段ＢＰＡとして、マスタシリンダの圧力を検出するセンサ（圧力センサ）、制動操作部材ＢＰの操作力を検出するセンサ（踏力センサ）、及び、制動操作部材ＢＰの操作変位を検出するセンサ（ストロークセンサ）のうちの、少なくとも１つが採用される。従って、制動操作量Ｂｐａは、マスタシリンダ圧、ブレーキペダル踏力、及び、ブレーキペダルストロークのうちの少なくとも何れか１つに基づいて演算される。検出された制動操作量Ｂｐａは、電子制御ユニットＥＣＵに入力される。
【００１６】
駐車ブレーキ用スイッチ（単に、駐車スイッチともいう）ＰＳＷは、運転者によって操作されるスイッチであり、オン又はオフの信号Ｐｓｗ（駐車信号という）を、電子制御ユニットＥＣＵに対して出力する。即ち、運転者は、車両の停止状態を維持する駐車ブレーキの作動又は解除を、駐車スイッチＰＳＷの操作によって指示する。具体的には、駐車信号Ｐｓｗのオン（ＯＮ）状態で駐車ブレーキの作動が指示され、駐車信号Ｐｓｗのオフ（ＯＦＦ）状態で駐車ブレーキの解除が指示される。
【００１７】
≪電子制御ユニットＥＣＵ≫
【００１８】
電子制御ユニットＥＣＵは、指示押圧力演算ブロックＦＢＳ、指示通電量演算ブロックＩＭＳ、駐車ブレーキ演算ブロックＩＰＳ、目標通電量演算ブロックＩＭＴ、及び、車体側通信部ＣＭＢにて構成される。ここで、車両を減速し、停止させる通常ブレーキに係るもの（指示押圧力演算ブロックＦＢＳ、指示通電量演算ブロックＩＭＳ、及び、目標通電量演算ブロックＩＭＴ）が「通常ブレーキ制御手段ＳＢＣ」と称呼され、車両の停止状態を維持する駐車ブレーキに係るもの（駐車ブレーキ演算ブロックＩＰＳと目標通電量演算ブロックＩＭＴ）が「駐車ブレーキ制御手段ＰＫＣ」と称呼される。なお、電子制御ユニットＥＣＵは、制御手段（コントローラ）ＣＴＬの一部に相当する。
【００１９】
指示押圧力演算ブロックＦＢＳ（通常ブレーキ制御手段ＳＢＣに相当）では、摩擦部材ＭＳＢが回転部材ＫＴＢを押す力（押圧力）に関する目標値（指示押圧力）Ｆｂｓが演算される。具体的には、指示押圧力Ｆｂｓは、制動操作量Ｂｐａ、及び、予め設定された演算マップＣＨｆｓに基づいて、制動操作量Ｂｐａが増加するにしたがって指示押圧力Ｆｂｓがゼロから単調増加するように演算される。ここで、指示押圧力Ｆｂｓは通常ブレーキ機能における目標値Ｆｂｓであり、指示押圧力演算ブロックＦＢＳから指示通電量演算ブロックＩＭＳに入力される。
【００２０】
指示通電量演算ブロックＩＭＳにて、目標押圧力Ｆｂｓに基づいて、指示通電量Ｉｍｓが演算される。指示通電量Ｉｍｓは、通常ブレーキにおける（即ち、運転者の制動操作部材ＢＰの操作による）電気モータＭＴＲへの通電量の目標値である。具体的には、指示通電量Ｉｍｓは、指示押圧力Ｆｂｓ、及び、予め設定された演算マップＣＨｉｓに基づいて、指示押圧力Ｆｂｓが増加するにしたがって指示通電量Ｉｍｓがゼロから単調増加するように演算される。指示通電量Ｉｍｓは、目標通電量演算ブロックＩＭＴに入力される。
【００２１】
駐車ブレーキ演算ブロックＩＰＳ（駐車ブレーキ制御手段ＰＫＣに相当）では、駐車信号Ｐｓｗ、実押圧力Ｆｂａ、及び、歯車回転角Ｒｋａ（又は、モータ回転角Ｍｋａ）に基づいて、駐車ブレーキ制御用の信号Ｉｐｔ（駐車通電量）、Ｓｃｄ（指示信号）が演算される。駐車通電量Ｉｐｔは目標通電量演算ブロックＩＭＴに入力され、指示信号Ｓｃｄは車体側通信部ＣＭＢに入力される。
【００２２】
目標通電量演算ブロックＩＭＴ（通常ブレーキ制御手段ＳＢＣ、及び、駐車ブレーキ制御手段ＰＫＣに相当）では、指示通電量Ｉｍｓ（通常ブレーキの通電目標値）Ｆｂｓ、及び、駐車通電量Ｉｐｔに基づいて、電気モータＭＴＲへの通電状態（最終的には電流の大きさと方向）の目標値である目標通電量Ｉｍｔが演算される。具体的には、指示通電量Ｉｍｓと駐車通電量Ｉｐｔとが比較され、それらのうちで、大きい方が目標通電量Ｉｍｔとして、車体側通信部ＣＭＢに入力される。
【００２３】
目標通電量Ｉｍｔの符号（値の正負）に基づいて電気モータＭＴＲの回転方向が決定され、目標通電量Ｉｍｔの大きさに基づいて電気モータＭＴＲの出力（回転動力）が制御される。具体的には、目標通電量Ｉｍｔの符号が正符号である場合（Ｉｍｔ＞０）には、電気モータＭＴＲが正転方向（押圧力の増加方向）に駆動され、Ｉｍｔの符号が負符号である場合（Ｉｍｔ＜０）には、電気モータＭＴＲが逆転方向（押圧力の減少方向）に駆動される。また、目標通電量Ｉｍｔの絶対値が大きいほど電気モータＭＴＲの出力トルクが大きくなるように制御され、目標通電量Ｉｍｔの絶対値が小さいほど出力トルクが小さくなるように制御される。
【００２４】
ここで、「通電量」とは、電気モータＭＴＲの出力トルクを制御するための状態量（変数）である。電気モータＭＴＲは電流に概ね比例するトルクを出力するため、通電量の目標値として電気モータＭＴＲの電流目標値が用いられ得る。また、電気モータＭＴＲへの供給電圧を増加すれば、結果として電流が増加されるため、目標通電量として供給電圧値が用いられ得る。さらに、パルス幅変調におけるデューティ比によって供給電圧値が調整され得るため、このデューティ比が通電量として用いられ得る。なお、上記の駐車ブレーキ演算ブロックＩＰＳ、及び、目標通電量演算ブロックＩＭＴの詳細については後述する。
【００２５】
車体側通信部ＣＭＢでは、通信線ＳＧＬを介して、制動手段ＢＲＫ内の駆動手段ＤＲＶ（特に、車輪側通信部ＣＭＷ）との間で信号の送受信が行われる。車体側通信部ＣＭＢからは、目標通電量Ｉｍｔ、及び、駐車ブレーキの指示信号Ｓｃｄが、車輪側通信部ＣＭＷに送信される。車輪側通信部ＣＭＷからは、実際の押圧力Ｆｂａ、ラチェット歯車の回転角Ｒｋａ、及び、電気モータの回転角Ｍｋａが、車体側通信部ＣＭＢに送信される。
【００２６】
通信線ＳＧＬは、車体に固定される電子制御ユニットＥＣＵと、車輪に固定される制動手段ＢＲＫとの間の通信手段である。信号線ＳＧＬとして、シリアル通信バス（例えば、ＣＡＮバス）が採用され得る。
【００２７】
≪制動手段（ブレーキアクチュエータ）ＢＲＫ≫
制動手段ＢＲＫは、車輪ＷＨＬに設けられ、車輪ＷＨＬに制動トルクを与え、制動力を発生させる。制動手段ＢＲＫによって、走行中の車両は減速される（即ち、通常ブレーキとして機能する）。また、制動手段ＢＲＫは、車両の停止中には、その停止状態を維持する駐車ブレーキとして機能する。
【００２８】
制動手段ＢＲＫとして、所謂、ディスク型制動装置（ディスクブレーキ）の構成が例示されている。この場合、摩擦部材ＭＳＢはブレーキパッドであり、回転部材ＫＴＢはブレーキディスクである。制動手段ＢＲＫは、ドラム型制動装置（ドラムブレーキ）であってもよい。ドラムブレーキの場合、摩擦部材ＭＳＢはブレーキシューであり、回転部材ＫＴＢはブレーキドラムである。
【００２９】
制動手段ＢＲＫ（ブレーキアクチュエータ）は、ブレーキキャリパＣＲＰ、押圧部材ＰＳＮ、電気モータＭＴＲ、位置取得手段ＭＫＡ、減速機ＧＳＫ、入力部材ＳＦＩ、出力部材ＳＦＯ、ねじ部材ＮＪＢ、押圧力取得手段ＦＢＡ、駆動手段ＤＲＶ、及び、駐車ブレーキ用ロック機構ＬＯＫにて構成される。上記の各部材（ＰＳＮ等）は、ブレーキキャリパＣＲＰの内部に収納されている。
【００３０】
ブレーキキャリパＣＲＰ（単に、キャリパともいう）として、浮動型キャリパが採用され得る。キャリパＣＲＰは、２つの摩擦部材（ブレーキパッド）ＭＳＢを介して、回転部材（ブレーキディスク）ＫＴＢを挟み込むように構成される。キャリパＣＲＰ内にて、押圧部材（ブレーキピストン）ＰＳＮが、回転部材ＫＴＢに対して移動（前進、又は、後退）される。押圧部材ＰＳＮの移動によって、摩擦部材ＭＳＢが回転部材ＫＴＢに押し付けられて摩擦力が発生する。
【００３１】
押圧部材ＰＳＮの移動は、電気モータＭＴＲの動力によって行われる。具体的には、電気モータＭＴＲの出力（モータ軸まわりの回転動力）が、減速機ＧＳＫを介して、出力部材ＳＦＯに伝達される。そして、出力部材ＳＦＯの回転動力（トルク）が、ねじ部材ＮＪＢによって、直線動力（押圧部材の軸方向の推力）に変換され、押圧部材ＰＳＮに伝達される。その結果、押圧部材ＰＳＮが、回転部材ＫＴＢに対して移動される。押圧部材ＰＳＮの移動によって、摩擦部材ＭＳＢが、回転部材ＫＴＢを押す力（押圧力）が調整される。回転部材ＫＴＢは車輪ＷＨＬに固定されているため、摩擦部材ＭＳＢと回転部材ＫＴＢとの間に摩擦力が発生し、車輪ＷＨＬの制動力が調整される。
【００３２】
電気モータＭＴＲは、押圧部材ＰＳＮを駆動（移動）するための動力源である。例えば、電気モータＭＴＲとして、ブラシ付モータ、又は、ブレシレスモータが採用され得る。電気モータＭＴＲの回転方向において、正転方向が、摩擦部材ＭＳＢが回転部材ＫＴＢに近づいていく方向（押圧力が増加し、制動トルクが増加する方向）に相当し、逆転方向が、摩擦部材ＭＳＢが回転部材ＫＴＢから離れていく方向（押圧力が減少し、制動トルクが減少する方向）に相当する。
【００３３】
位置取得手段（例えば、回転角センサ）ＭＫＡは、電気モータＭＴＲのロータ（回転子）の位置（回転角）Ｍｋａを取得（検出）する。検出された回転角Ｍｋａは、駆動手段ＤＲＶ（具体的には、駆動手段ＤＲＶ内のプロセッサ）に入力される。位置取得手段ＭＫＡは、後述する歯車回転角取得手段ＲＫＡを兼ね得る。即ち、歯車回転角Ｒｋａとして、モータ回転角Ｍｋａが採用され得る。
【００３４】
押圧力取得手段（例えば、押圧力センサ）ＦＢＡは、押圧部材ＰＳＮが摩擦部材ＭＳＢを押す力（押圧力）Ｆｂａを取得（検出）する。検出された実際の押圧力Ｆｂａは、駆動手段ＤＲＶ（具体的には、ＤＲＶ内のプロセッサ）に入力される。例えば、押圧力取得手段ＦＢＡは、出力部材ＳＦＯとキャリパＣＲＰとの間に設けられる。
【００３５】
駆動手段ＤＲＶ（駆動回路）は、電気モータＭＴＲ、及び、ソレノイドアクチュエータＳＯＬを駆動する電気回路である。駆動手段ＤＲＶは、プロセッサ（演算処理装置）、ブリッジ回路ＨＢＲ等にて構成される。駆動手段ＤＲＶによって、目標通電量Ｉｍｔに基づいて電気モータＭＴＲが制御され、指示信号Ｓｃｄに基づいてソレノイドＳＯＬが駆動される。
【００３６】
駐車ブレーキ用ロック機構ＬＯＫ（単に、ロック機構ともいう）は、車両の停止状態を維持するブレーキ機能（所謂、駐車ブレーキ）のため、電気モータＭＴＲが、逆転方向に回転しないようにロックする。ロック機構ＬＯＫによって、押圧部材ＰＳＮが回転部材ＫＴＢに対して離れる方向に移動することが拘束（制限）され、摩擦部材ＭＳＢによる回転部材ＫＴＢの押圧状態が維持される。ここで、ロック機構ＬＯＫは、電気モータＭＴＲと減速機ＧＳＫとの間に設けられ得る。
【００３７】
＜駆動手段ＤＲＶ＞
図２の概要図を参照して、駆動手段ＤＲＶについて説明する。これは、電気モータＭＴＲとして、ブラシ付モータ（単に、ブラシモータともいう）が採用される場合の例である。駆動手段ＤＲＶによって、電気モータＭＴＲ、及び、ソレノイドＳＯＬが駆動される。駆動手段ＤＲＶは、車輪側通信部ＣＭＷ、モータ駆動部ＤＲＭ、及び、ソレノイド駆動部ＤＲＳにて構成される。なお、駆動手段（駆動回路）ＤＲＶは、制御手段（コントローラ）ＣＴＬの一部に相当する。
【００３８】
駆動手段ＤＲＶ（駆動回路）には、電力線ＰＷＬを介して、蓄電池ＢＡＴ、発電機ＡＬＴから電力が供給される。駆動手段ＤＲＶには、押圧力取得手段ＦＢＡの取得結果（実押圧力）Ｆｂａ、位置取得手段ＭＫＡの取得結果（モータ回転角）Ｍｋａ、及び、ラチェット歯車の回転角取得手段ＲＫＡの取得結果（歯車回転角）Ｒｋａが入力される。さらに、駆動手段ＤＲＶ（特に、車輪側通信部ＣＭＷ）には、信号線ＳＧＬを介して、電気モータＭＴＲ、及び、ソレノイドＳＯＬを制御するための信号Ｉｍｔ、Ｓｃｄが、電子制御ユニットＥＣＵ（特に、車体側通信部ＣＭＢ）から入力される。逆に、駆動手段ＤＲＶから電子制御ユニットＥＣＵには、信号線ＳＧＬを介して、実押圧力Ｆｂａ、歯車回転角Ｒｋａ、及び、モータ回転角Ｍｋａが出力される。
【００３９】
≪モータ駆動部ＤＲＭ≫
モータ駆動部ＤＲＭは、ブリッジ回路ＨＢＲ、パルス幅変調ブロックＰＷＭ、及び、スイッチング制御ブロックＳＷＴにて構成される。
【００４０】
ブリッジ回路は、双方向の電源を必要とすることなく、単一の電源で電気モータへの通電方向が変更され、電気モータの回転方向（正転方向、又は、逆転方向）が制御され得る回路である。ブリッジ回路ＨＢＲは、スイッチング素子ＳＷ１乃至ＳＷ４によって構成される。スイッチング素子ＳＷ１乃至ＳＷ４は、電気回路の一部をオン（通電）／オフ（非通電）できる素子である。スイッチング素子ＳＷ１〜ＳＷ４は、スイッチング制御ブロックＳＷＴからの信号Ｓｗ１〜Ｓｗ４によって駆動される。夫々のスイッチング素子の通電／非通電の状態が切り替えられることによって、電気モータＭＴＲの回転方向と出力トルクとが調整される。例えば、スイッチング素子として、ＭＯＳ−ＦＥＴ、ＩＧＢＴが用いられる。
【００４１】
電気モータＭＴＲが正転方向に駆動される場合には、スイッチング素子ＳＷ１、ＳＷ４が通電状態（オン状態）にされ、スイッチング素子ＳＷ２、ＳＷ３が非通電状態（オフ状態）にされる。逆に、電気モータＭＴＲが逆転方向に駆動される場合には、スイッチング素子ＳＷ１、ＳＷ４が非通電状態（オフ状態）にされ、スイッチング素子ＳＷ２、ＳＷ３が通電状態（オン状態）にされる。即ち、電気モータＭＴＲの逆転駆動では、電流が正転駆動とは逆方向に流される。
【００４２】
ブラシ付モータに代えて、ブラシレスモータが採用される場合、ブリッジ回路ＨＢＲは、６つのスイッチング素子によって構成される。ブラシ付モータの場合と同様に、デューティ比Ｄｕｔに基づいて、スイッチング素子の通電状態／非通電状態が制御される。ブラシレスモータでは、位置取得手段ＭＫＡによって、電気モータＭＴＲのロータ位置（回転角）Ｍｋａが取得される。そして、実際の位置Ｍｋａに基づいて、３相ブリッジ回路を構成する６つのスイッチング素子が制御される。スイッチング素子によって、ブリッジ回路のＵ相、Ｖ相、及びＷ相のコイル通電量の方向（即ち、励磁方向）が順次切り替えられて、電気モータＭＴＲが駆動される。ブラシレスモータの回転方向（正転、或いは、逆転方向）は、ロータと励磁する位置との関係によって決定される。
【００４３】
ブリッジ回路ＨＢＲには、電気モータ用の通電量取得手段（例えば、電流センサ）ＩＭＡが設けられる。通電量取得手段ＩＭＡは、電気モータＭＴＲの通電量（実際値）Ｉｍａを取得する。例えば、モータ電流センサＩＭＡによって、実通電量Ｉｍａとして、実際に電気モータＭＴＲに流れる電流値が検出され得る。
【００４４】
パルス幅変調ブロックＰＷＭでは、目標通電量Ｉｍｔに基づいて、パルス幅変調を行うための指示値（目標値）Ｄｕｔが演算される。具体的には、パルス幅変調ブロックＰＷＭでは、目標通電量Ｉｍｔ、及び、予め設定される特性（演算マップ）に基づいて、パルス幅のデューティ比Ｄｕｔ（周期的なパルス波において、その周期に対するオン状態の割合）が決定される。併せて、パルス幅変調ブロックＰＷＭでは、目標通電量Ｉｍｔの符号（正符号、又は、負符号）に基づいて、電気モータＭＴＲの回転方向が決定される。例えば、電気モータＭＴＲの回転方向は、正転方向が正（プラス）の値、逆転方向が負（マイナス）の値として設定される。入力電圧（電源電圧）、及び、デューティ比Ｄｕｔによって最終的な出力電圧が決まるため、パルス幅変調ブロックＰＷＭでは、電気モータＭＴＲの回転方向と、電気モータＭＴＲへの通電量（即ち、電気モータＭＴＲの出力）が決定される。
【００４５】
さらに、パルス幅変調ブロックＰＷＭでは、所謂、電流フィードバック制御が実行される。通電量取得手段ＩＭＡの検出値（例えば、実際の電流値）Ｉｍａが、パルス幅変調ブロックＰＷＭに入力され、目標通電量Ｉｍｔと、実際の通電量Ｉｍａとの偏差ｅＩｍに基づいて、デューティ比Ｄｕｔが修正（微調整）される。この電流フィードバック制御によって、目標値Ｉｍｔと実際値Ｉｍａとが一致するよう、高精度なモータ制御が達成され得る。
【００４６】
スイッチング制御ブロックＳＷＴでは、デューティ比（目標値）Ｄｕｔに基づいて、ブリッジ回路ＨＢＲを構成するスイッチング素子ＳＷ１〜ＳＷ４を駆動する信号（駆動信号）Ｓｗ１〜Ｓｗ４が決定される。これらの駆動信号Ｓｗ１〜Ｓｗ４によって、各スイッチング素子ＳＷ１〜ＳＷ４における通電／非通電、及び、単位時間当りの通電時間が制御される。即ち、駆動信号Ｓｗ１〜Ｓｗ４によって、電気モータＭＴＲの回転方向と出力トルクが制御される。
【００４７】
≪ソレノイド駆動部ＤＲＳ≫
ソレノイド駆動部ＤＲＳは、スイッチング素子ＳＳ、及び、ソレノイド制御ブロックＣＳＬにて構成される。スイッチング素子ＳＳは、ソレノイドＳＯＬへの通電状態を制御する。具体的には、スイッチング素子ＳＳは、電気回路の一部をオン（通電）／オフ（非通電）できる素子であり、駆動信号Ｓｓに基づいて、スイッチング素子ＳＳの通電／非通電の状態が切り替えられる。これによって、ソレノイドＳＯＬの吸引力の発生／解除が切り替えられる（即ち、ソレノイドＳＯＬが駆動される）。例えば、スイッチング素子ＳＳとして、ＭＯＳ−ＦＥＴ、ＩＧＢＴ、又は、リレーが用いられ得る。
【００４８】
ソレノイド制御ブロックＣＳＬにて、指示信号Ｓｃｄがソレノイドの駆動信号Ｓｓに変換されてスイッチング素子ＳＳに出力される。ソレノイド駆動部ＤＲＳには、ソレノイド用の通電量取得手段（例えば、電流センサ）ＩＳＡが設けられる。通電量取得手段ＩＳＡは、ソレノイドＳＯＬの通電量（実際値）Ｉｓａを取得する。例えば、ソレノイド電流センサＩＳＡによって、実通電量Ｉｓａとして、実際にソレノイドＳＯＬに流れる電流値が検出され得る。
【００４９】
＜駐車ブレーキ用のロック機構の第１実施形態＞
図３の概要図を参照して、駐車ブレーキ用ロック機構（単に、ロック機構という）ＬＯＫの第１実施形態について説明する。第１実施形態に係るロック機構ＬＯＫでは、つめ部材ＴＳＵとラチェット歯車ＲＣＨとの咬み合いによって、駐車ブレーキの機能を発揮する。ここで、つめ部材ＴＳＵとラチェット歯車ＲＣＨとが咬み合っている場合（ロック機構ＬＯＫが作動している場合）が、駐車ブレーキが効いている状態であり、咬み合っていない場合（ロック機構ＬＯＫが非作動の場合）が、駐車ブレーキが効いていない状態である。
【００５０】
先ず、ロック機構ＬＯＫの構造について説明する。ロック機構ＬＯＫは、ラチェット機構（つめブレーキ）として構成される。ラチェット機構は、回転動作を一方向に制限するものである。したがって、ロック機構ＬＯＫは、ラチェット機構が咬み合った状態で、一方向の回転（矢印Ｆｗｄで示す方向）を許容するが、他方向の回転（矢印Ｒｖｓで示す方向）を拘束する（動きを制限する）。図３（ａ）は、駐車ブレーキの解除維持状態（つめ部材ＴＳＵが解除位置にある状態）を示し、図３（ｂ）は、駐車ブレーキの係合維持状態（つめ部材ＴＳＵが咬合位置にある状態）を示している。
【００５１】
ロック機構ＬＯＫは、ソレノイドアクチュエータＳＯＬ、つめ部材ＴＳＵ、ガイド部材ＧＩＤ、ラチェット歯車ＲＣＨ、及び、弾性部材ＳＰＲにて構成される。
【００５２】
ソレノイドアクチュエータ（単に、ソレノイドともいう）ＳＯＬは、キャリパＣＲＰに固定される。ロック機構ＬＯＫが解除状態から咬合状態に遷移する場合、ソレノイドＳＯＬへの通電によって、ソレノイドＳＯＬの一部であるプッシュバーＰＳＢによって、つめ部材ＴＳＵがラチェット歯車ＲＣＨに向けて押圧される。具体的には、つめ部材ＴＳＵが、ラチェット歯車ＲＣＨの回転軸に近づく方向（咬合方向）Ｄｄｗに、ソレノイドＳＯＬから力を受ける。つめ部材ＴＳＵは、キャリパＣＲＰに固定されるガイド部材ＧＩＤによって位置決めされ、咬合方向Ｄｄｗ、及び、その反対方向（解除方向）Ｄｕｐの動きに限って許容されている。つめ部材ＴＳＵが、ラチェット歯車ＲＣＨと咬み合うことによって、駐車ブレーキ機能が発揮される。
【００５３】
ソレノイドＳＯＬは、コイルＣＯＬ、固定鉄芯（ベースともいう）ＢＡＳ、可動鉄芯（プランジャともいう）ＰＬＮ、プッシュバーＰＳＢ、及び、ハウジングＨＳＧにて構成される。ハウジングＨＳＧの内に、コイルＣＯＬ、及び、ベースＢＡＳは収められ、ハウジングＨＳＧは、キャリパＣＲＰに固定される。即ち、ソレノイドＳＯＬは、キャリパＣＲＰに固定される。
【００５４】
コイルＣＯＬは、導線に電流が流されることによって磁界を発生する。通電によって、コイルＣＯＬに磁界が発生されると、固定鉄芯（ベース）ＢＡＳに磁束が通り、ＢＡＳが可動鉄芯（プランジャ）ＰＬＮを吸引する。そして、通電している間は、プランジャＰＬＮはベースＢＡＳに常に吸引されるが、通電が遮断されると、この吸引力は消滅される。プランジャＰＬＮにプッシュバーＰＳＢが固定され、プランジャＰＬＮの吸引動作に応じて、プッシュバーＰＳＢによって、つめ部材ＴＳＵが押される。
【００５５】
つめ部材ＴＳＵは、一方の端部に突起部（つめ）が設けられる。この突起部分が、ラチェット歯車ＲＣＨと咬み合わされる。つめ部材ＴＳＵの他方の端部は、プッシュバーＰＳＢに当接されている。ソレノイドＳＯＬへの通電が行われると、つめ部材ＴＳＵはプッシュバーＰＳＢに押されて、ラチェット歯車ＲＣＨに向かう方向（咬合方向）Ｄｄｗに移動される。
【００５６】
つめ部材ＴＳＵの突起形状（つめ形状）において、すくい角αが設けられる。ここで、すくい角αは、つめ部材ＴＳＵのつめとラチェット歯車ＲＣＨとの接触部と、咬合方向Ｄｄｗとのなす角度である。つめ部材ＴＳＵとラチェット歯車ＲＣＨとが咬み合わされている状態で、つめ部材ＴＳＵは、ラチェット歯車ＲＣＨとの接触部において、ラチェット歯車ＲＣＨから力を受ける。すくい角αによって、この力の分力が咬合方向Ｄｄｗに作用するため、ソレノイドＳＯＬへの通電が停止された後も、つめ部材ＴＳＵとラチェット歯車ＲＣＨとが咬み合った状態が維持される。
【００５７】
ラチェット歯車ＲＣＨは入力部材ＳＦＩに固定され、電気モータＭＴＲと一体となって回転する。ラチェット歯車ＲＣＨには、一般的な歯車とは異なり、方向性をもつ歯（のこぎり状の歯）が形成される。この「のこぎり歯」形状によって、ラチェット歯車ＲＣＨの回転軸まわりの運動に対する方向性が生じる。具体的には、電気モータＭＴＲの正転方向に対応する回転運動（ＰＳＮがＫＴＢに近づき、Ｆｂａが増加し、制動トルクが増加する方向の動き）Ｆｗｄは許容されるが、電気モータＭＴＲの逆転方向に対応する動き（ＰＳＮがＫＴＢから離れ、Ｆｂａが減少し、制動トルクが減少する方向の動き）Ｒｖｓは拘束（ロック）される。ラチェット歯車ＲＣＨとつめ部材ＴＳＵとが咬み合わされると、押圧部材ＰＳＮ（即ち、摩擦部材ＭＳＢ）が回転部材ＫＴＢから離れる方向に相当する電気モータＭＴＲの回転（逆転方向Ｒｖｓ）が制限される。
【００５８】
弾性部材（例えば、復帰スプリング）ＳＰＲが、圧縮された状態で、ガイド部材ＧＩＤ（即ち、キャリパＣＲＰ）とつめ部材ＴＳＵとの間に設けられる。従って、弾性部材ＳＰＲは、ガイド部材ＧＩＤ（キャリパＣＲＰ）に対して、咬合方向Ｄｄｗとは反対方向（解除方向）Ｄｕｐに、常時、つめ部材ＴＳＵを押し付けている。ソレノイドＳＯＬに通電されることによってプランジャＰＬＮがソレノイドＳＯＬ内に引き込まれ、プッシュバーＰＳＢがつめ部材ＴＳＵを咬合方向Ｄｄｗに押圧する。即ち、ソレノイドＳＯＬの可動部材ＰＳＢがつめ部材ＴＳＵに及ぼす咬合方向Ｄｄｗの力（咬合力）が発生される。弾性部材ＳＰＲによる押し付け力（ばね力であって、ＴＳＵを解除方向Ｄｕｐに押す力である解除力）よりもソレノイドＳＯＬの吸引力（咬合力）が大きくなると、つめ部材ＴＳＵが咬合位置に移動され、つめ部材ＴＳＵとラチェット歯車ＲＣＨとが咬み合わされる（図３（ｂ）参照）。しかし、ソレノイドＳＯＬへの通電が停止されると、ソレノイドＳＯＬの吸引力が失われ、弾性部材ＳＰＲによって、つめ部材ＴＳＵ及びプッシュバーＰＳＢ（プランジャＰＬＮ）が解除位置にまで戻される（図３（ａ）参照）。
【００５９】
ラチェット歯車ＲＣＨと同軸に、ラチェット歯車ＲＣＨの回転角（歯車回転角）Ｒｋａを取得（検出）する歯車回転角取得手段ＲＫＡが設けられる。即ち、電気モータＭＴＲから減速機ＧＳＫへの入力部材（入力シャフト）ＳＦＩに、歯車回転角取得手段ＲＫＡが固定される。歯車回転角Ｒｋａとして、モータ回転角取得手段（位置取得手段）ＭＫＡの取得結果（モータ回転角）Ｍｋａが採用され得る。また、減速機ＧＳＫのギア比は既知であるため、歯車回転角取得手段ＲＫＡは減速機ＧＳＫの出力部材（出力シャフト）ＳＦＯに設けられ得る。（以上、図１参照）
【００６０】
≪つめ部材ＴＳＵとラチェット歯車ＲＣＨとの咬み合いにおける状態遷移≫
つめ部材ＴＳＵとラチェット歯車ＲＣＨとが、咬み合っていない状態から咬み合う状態に遷移する場合について説明する。図３（ａ）は、ソレノイドＳＯＬへの通電が行われておらず、つめ部材ＴＳＵとラチェット歯車ＲＣＨとが咬み合っていない場合（解除維持状態）を示す。ここで、つめ部材ＴＳＵは、弾性部材ＳＰＲの弾性力によってソレノイドＳＯＬ（又は、キャリパＣＲＰ）に押し付けられている。この状態における、つめ部材ＴＳＵの位置（ＴＳＵがＲＣＨから最も離れた位置）が、「解除位置」と称呼される。
【００６１】
電気モータＭＴＲに通電が行われて、電気モータＭＴＲが正転方向Ｆｗｄに駆動され、これに伴い、押圧力Ｆｂａが増加される。そして、押圧力Ｆｂａが所定値に到達した後に、ソレノイドＳＯＬ（即ち、コイルＣＯＬ）への通電が開始される。この通電によって、プランジャＰＬＮがベースＢＡＳに吸引され、咬合方向ＤｄｗにプランジャＰＬＮが引き寄せられる。ソレノイドＳＯＬの吸引力（即ち、ＰＳＢがＴＳＵを押す力である咬合力）が弾性部材ＳＰＲの弾性力（即ち、ＴＳＵとＲＣＨとの咬み合いを解除する力である解除力）よりも大きくなることによって、プランジャＰＬＮに固定されているプッシュバーＰＳＢが、つめ部材ＴＳＵを咬合方向Ｄｄｗに移動させる。このとき、つめ部材ＴＳＵの移動は、ガイド部材ＧＩＤによって案内される。
【００６２】
つめ部材ＴＳＵがラチェット歯車ＲＣＨに接触した状態で、電気モータＭＴＲが逆転方向Ｒｖｓに駆動される。この結果、つめ部材ＴＳＵがラチェット歯車ＲＣＨに確実に咬み合わされる。この咬み合い状態が確認された後に、ソレノイドＳＯＬへの通電が停止されるとともに、電気モータＭＴＲへの通電も停止される（図３（ｂ）の係合維持状態）。
【００６３】
つめ部材ＴＳＵにはすくい角α（ＴＳＵの中心軸Ｊｔｓと、ＴＳＵとＲＣＨとの接触部とがなす角度）が設けられ、これに対応するようにラチェット歯車ＲＣＨには傾き角β（ＲＣＨの歯先とＲＣＨとの回転軸を結んだ直線と、ＴＳＵとＲＣＨとの接触部とがなす角度）が設けられる。つめ部材ＴＳＵ（特に、ラチェット歯車ＲＣＨとの接触部）には、キャリパＣＲＰ、摩擦部材ＭＳＢ等の剛性によってラチェット歯車ＲＣＨからの力（接線力）が作用する。すくい角αによる接線力の分力は、咬合方向Ｄｄｗに作用するため、通電停止後の咬み合い状態が、確実に維持され得る。
【００６４】
次に、つめ部材ＴＳＵとラチェット歯車ＲＣＨとが、咬み合う状態から咬み合っていない状態に遷移する場合について説明する。図３（ｂ）に示すように、電気モータＭＴＲ、及び、ソレノイドＳＯＬへの通電が行われていない状態でも、つめ部材ＴＳＵとラチェット歯車ＲＣＨとが咬み合わされる状態が維持される。電気モータＭＴＲへの通電が行われることによって、この咬み合い状態が解除される。このとき、ソレノイドＳＯＬへの通電は停止されたままである。
【００６５】
電気モータＭＴＲが駆動されて、正転方向Ｆｗｄに回転されると、つめ部材ＴＳＵは、咬み合わされていたラチェット歯車ＲＣＨの歯を乗り越える。このとき、弾性部材（圧縮ばね）ＳＰＲの弾性力（ばね力）によって、つめ部材ＴＳＵは、ラチェット歯車ＲＣＨから離れる方向（解除方向）Ｄｕｐに、解除位置まで移動される。具体的には、ラチェット歯車ＲＣＨとつめ部材ＴＳＵとが咬み合った状態において、ラチェット歯車ＲＣＨが、ラチェット歯車ＲＣＨの歯先とラチェット歯車ＲＣＨの回転中心を結ぶ直線と、つめ部材ＴＳＵのつめ先とラチェット歯車ＲＣＨの回転中心とを結ぶ直線とのなす角度γ（「咬合角」と称呼する）よりも大きく回転すると、ラチェット歯車ＲＣＨとつめ部材ＴＳＵとの咬み合い状態が解消される。この結果、つめ部材ＴＳＵは、弾性部材ＳＰＲに押されて、図３（ａ）に示す状態に戻る。なお、咬合角γは、角度α、β、及び、つめ部材ＴＳＵとラチェット歯車ＲＣＨとの幾何的関係（つめ部材ＴＳＵの中心軸Ｊｔｓと、ラチェット歯車ＲＣＨの回転軸Ｊｒｃとの距離）で、予め設定されている値である。
【００６６】
＜駐車ブレーキの制御状態＞
図４の状態遷移図を参照して、駐車ブレーキ制御における制御状態について説明する。駐車ブレーキの制御状態には、「係合作動」、「係合維持」、「解除作動」、及び、「解除維持」の４つの状態が存在する。
【００６７】
「係合維持」は、「つめ部材ＴＳＵとラチェット歯車ＲＣＨとが咬み合う状態」が維持されている場合である。即ち、係合維持状態では、駐車ブレーキ用ロック機構ＬＯＫが作動し、駐車ブレーキ機能が発揮されている。「解除維持」は、「つめ部材ＴＳＵとラチェット歯車ＲＣＨとが咬み合っていない状態」が維持されている場合である。即ち、解除維持状態では、駐車ブレーキ用ロック機構ＬＯＫが作動せず、駐車ブレーキ機能が発揮されていない。
【００６８】
「係合作動」は、「つめ部材ＴＳＵとラチェット歯車ＲＣＨとが咬み合っていない状態」から「つめ部材ＴＳＵとラチェット歯車ＲＣＨとが咬み合う状態」に遷移させる作動である。逆に、「解除作動」は、「つめ部材ＴＳＵとラチェット歯車ＲＣＨとが咬み合う状態」から「つめ部材ＴＳＵとラチェット歯車ＲＣＨとが咬み合っていない状態」に遷移させる作動である。
【００６９】
解除維持状態において、運転者が駐車スイッチＰＳＷをオフ状態からオン状態に操作すると、駐車信号Ｐｓｗもオフ状態からオン状態に変化する。この変化に基づいて、係合作動の実行が開始される。係合作動では、先ず、摩擦部材ＭＳＢの回転部材ＫＴＢに対する押圧力の調整処理（押圧力調整処理）が行われる。続けて、ラチェット歯車ＲＣＨの停止処理（歯車停止処理）、つめ部材ＴＳＵの押圧処理（つめ押圧処理）、及び、つめ部材ＴＳＵとラチェット歯車ＲＣＨとの咬合確保処理が実行される。歯車停止処理、つめ押圧処理、及び、咬合確保処理をまとめて、「咬合処理」と称呼され、「ロック機構の作動」に該当する。
【００７０】
咬合処理として、具体的には、駐車ブレーキ制御手段ＰＫＣは、電気モータＭＴＲへの通電状態を一定にしてラチェット歯車ＲＣＨの回転運動を停止した上で、ソレノイドＳＯＬに通電してつめ部材ＴＳＵをラチェット歯車ＲＣＨに押圧した後に、押圧力Ｆｂａを減少する方向に電気モータＭＴＲが回転するよう通電状態を調整する。
【００７１】
係合作動の実行（即ち、咬合処理）が終了されると、駐車ブレーキは係合維持状態となる。この状態では、電気モータＭＴＲ、及び、ソレノイドＳＯＬへの通電は不必要である。
【００７２】
係合維持状態において、運転者が駐車スイッチＰＳＷをオン状態からオフ状態に操作すると、駐車信号Ｐｓｗもオン状態からオフ状態に変化する。この変化に基づいて、解除作動の実行が開始される。そして、解除作動が終了すると、駐車ブレーキの解除維持状態となる。
【００７３】
＜駐車ブレーキ制御＞
図５のフロー図を参照して、駐車ブレーキ制御の全体について説明する。駐車ブレーキ制御では、駐車信号Ｐｓｗに基づいて、前述した４つの制御状態（係合作動状態、係合維持状態、解除作動状態、及び、解除維持状態）のうちの何れか１つが選択される。
【００７４】
ステップＳ１００にて、駐車信号Ｐｓｗにおける、前回の演算サイクルにおける前回値Ｐｓｗ（ｎ−１）、及び、今回の演算サイクルにおける今回値Ｐｓｗ（ｎ）が読み込まれる。次に、ステップＳ１１０に進む。ステップＳ１１０にて、前回値Ｐｓｗ（ｎ−１）と今回値Ｐｓｗ（ｎ）とが対比される。前回値Ｐｓｗ（ｎ−１）と今回値Ｐｓｗ（ｎ）とが一致している場合（「ＹＥＳ」の場合）には、ステップＳ１２０に進む。一方、前回値Ｐｓｗ（ｎ−１）と今回値Ｐｓｗ（ｎ）とが不一致である場合（「ＮＯ」の場合）には、ステップＳ１３０に進む。
【００７５】
ステップＳ１２０にて、今回の演算サイクルにおいて駐車信号Ｐｓｗ（ｎ）がオン状態であるか、否かが判定される。駐車信号Ｐｓｗ（ｎ）がオン状態である場合（「ＹＥＳ」の場合）には、ステップＳ１４０に進む。一方、駐車信号Ｐｓｗ（ｎ）がオフ状態である場合（「ＮＯ」の場合）には、ステップＳ１５０に進む。ステップＳ１３０にて、ステップＳ１３０と同様に、今回値Ｐｓｗ（ｎ）がオン状態であるか、否かが判定される。駐車信号Ｐｓｗ（ｎ）がオン状態である場合（「ＹＥＳ」の場合）には、ステップＳ１６０に進む。一方、駐車信号Ｐｓｗ（ｎ）がオフ状態である場合（「ＮＯ」の場合）には、ステップＳ１７０に進む。
【００７６】
ステップＳ１４０では、係合状態の維持が行われる（駐車ブレーキの制御状態では係合維持状態）。ステップＳ１５０では、解除状態の維持が行われる（制御状態では解除維持状態）。ステップＳ１６０では、係合作動が実行される（制御状態では係合作動状態）。ステップＳ１７０では、解除作動が実行される（制御状態では解除作動状態）。ステップＳ１４０〜Ｓ１７０の処理後は、ステップＳ１８０に進み、今回値Ｐｓｗ（ｎ）が前回値Ｐｓｗ（ｎ−１）として記憶される。そして、処理は、ステップＳ１００に戻される。
【００７７】
＜押圧力調整処理＞
図６のフロー図を参照して、駐車ブレーキ制御の係合作動における押圧力調整処理について説明する。駐車信号において、前回値Ｐｓｗ（ｎ−１）がオフ状態で、今回値Ｐｓｗ（ｎ）がオン状態である時に、ステップＳ１６０に移行し、係合作動が開始される（図５参照）。
【００７８】
先ず、ステップＳ２００にて、時間カウンタ（タイマ）が開始される。次に、ステップＳ２１０に進み、押圧力Ｆｂａ、及び、指示通電量Ｉｍｓが読み込まれる。そして、ステップＳ２２０に進み、駐車通電量Ｉｐｔがパターン出力される。駐車通電量Ｉｐｔは、駐車ブレーキ制御用の電気モータＭＴＲの通電量の目標値である。具体的には、ブロックＢ２２０の時系列特性ＣＨｉｐで示すように、時間カウンタが開始された時点をゼロ（起点）として、時間勾配ｋｚ０で増加し、上限値ｉｐｍとなるよう、駐車通電量Ｉｐｔが出力される。ここで、上限値ｉｐｍは、ブレーキアクチュエータＢＲＫにおける動力伝達効率を考慮して、確実に実押圧力Ｆｂａが、後述する値ｆｂｕよりも大きくなるように設定される。
【００７９】
ステップＳ２３０にて、実際の押圧力Ｆｂａが下方値（所定しきい値）ｆｂｓよりも小さいか、否かが判定される。押圧力Ｆｂａが値ｆｂｓよりも小さい場合（「ＹＥＳ」の場合）には、ステップＳ２４０に進む。ここで、下方値ｆｂｓは、予め設定された所定値である。一方、押圧力Ｆｂａが値ｆｂｓ以上である場合（「ＮＯ」の場合）には、ステップＳ２５０に進む。ステップＳ２４０にて、駐車通電量Ｉｐｔが指示通電量Ｉｍｓよりも大きいか、否かが判定される。駐車通電量Ｉｐｔが指示通電量Ｉｍｓよりも大きい場合（「ＹＥＳ」の場合）には、ステップＳ２６０に進む。一方、駐車通電量Ｉｐｔが指示通電量Ｉｍｓ以下である場合（「ＮＯ」の場合）には、ステップＳ２７０に進む。
【００８０】
ステップＳ２５０にて、押圧力Ｆｂａが上方値（所定しきい値）ｆｂｕよりも大きいか、否かが判定される。ここで、上方値ｆｂｕは、下方値ｆｂｓ以上であり、予め設定された所定値である。押圧力Ｆｂａが値ｆｂｕよりも大きい場合（「ＹＥＳ」の場合）には、ステップＳ２７０に進む。押圧力Ｆｂａが値ｆｂｕ以下である場合（「ＮＯ」の場合）には、係合作動の押圧力調整処理が終了され、係合作動の咬合処理が開始される。
【００８１】
ステップＳ２６０では、目標通電量Ｉｍｔとして駐車通電量Ｉｐｔが出力される。即ち、ステップＳ２６０では、駐車ブレーキ制御手段ＰＫＣによって目標通電量Ｉｍｔが決定される。その後、処理はステップＳ２００に戻される。ステップＳ２７０では、目標通電量Ｉｍｔとして指示通電量Ｉｍｓが出力される。即ち、ステップＳ２７０では、通常ブレーキ制御手段ＳＢＣによって目標通電量Ｉｍｔが決定される。その後、ステップＳ２００に処理が戻される。
【００８２】
以上、フロー図を参照して説明したように、係合作動の押圧力調整処理では、押圧力Ｆｂａが下方値ｆｂｓ（≦ｆｂｕ）よりも小さい条件では、駐車通電量Ｉｐｔ、及び、指示通電量Ｉｍｓのうちの大きい方が、目標通電量Ｉｍｔとして出力される。押圧力Ｆｂａが上方値ｆｂｕ（≧ｆｂｓ）よりも大きい条件では、指示通電量Ｉｍｓが目標通電量Ｉｍｔとして出力される。換言すれば、Ｆｂａ＞ｆｂｕの場合には、駐車ブレーキよりも、運転者による制動操作部材ＢＰの操作（通常ブレーキ操作）が優先される。押圧力Ｆｂａが下方値ｆｂｓ以上、且つ、上方値ｆｂｕ以下の条件が成立した時点で、押圧力調整処理が完了され、咬合処理が開始される。即ち、押圧力Ｆｂａが値ｆｂｓから値ｆｂｕまでの範囲内に入った時に、咬合処理が開始される。
【００８３】
＜咬合処理（ロック機構ＬＯＫの作動）＞
図７のフロー図を参照して、駐車ブレーキ制御の係合作動における咬合処理について説明する。係合作動の押圧力調整処理が完了されると、次に、係合作動の咬合処理が開始される。係合作動の咬合処理は、駐車ブレーキ制御手段ＰＫＣによって実行される。ここで、係合作動の咬合処理が、「ロック機構の作動」に相当する。
【００８４】
先ず、ステップＳ３００にて、目標通電量Ｉｍｔが、その時点（押圧力調整処理が完了時）の値に保持される。そして、ステップＳ３１０にて、ラチェット歯車ＲＣＨの回転角（歯車回転角）Ｒｋａが読み込まれる。次に、ステップＳ３２０にて、歯車回転角Ｒｋａが一定か、否かが判定される。即ち、歯車回転角Ｒｋａに基づいて、ラチェット歯車ＲＣＨが静止状態であるか、否かが判定される。ステップＳ３２０にて、歯車回転角Ｒｋａが一定であると判定される場合（「ＹＥＳ」の場合）には、ステップＳ３３０に進む。ステップＳ３２０にて、歯車回転角Ｒｋａが一定でない（ラチェット歯車ＲＣＨが未だ回転している）と判定される場合（「ＮＯ」の場合）には、処理は、ステップＳ３００に戻される。
【００８５】
ステップＳ３３０にて、ステップＳ３２０の判定が肯定された時点の歯車回転角Ｒｋａが値ｒｋ１として設定される。ここで、値ｒｋ１は、「保持値」と称呼される。次に、ステップＳ３４０にて、時間カウンタ（タイマ）が開始される。そして、ステップＳ３５０にて、時間カウンタが開始されてから時間ｔｘ１を経過したか、否かが判定される。歯車回転角Ｒｋａの一定状態が時間ｔｘ１に亘って経過した場合（「ＹＥＳ」の場合）には、ステップＳ３６０に進む。一方、歯車回転角Ｒｋａの一定状態が時間ｔｘ１を経過していない場合（「ＮＯ」の場合）には、ステップＳ３００に戻される。ステップＳ３００からステップＳ３５０までの処理は、ラチェット歯車ＲＣＨの回転運動を停止させ、その停止状態を確認するためのものであり、「歯車停止処理」と称呼される。
【００８６】
ステップＳ３６０にて、ソレノイドＳＯＬへの通電が行われる。ステップＳ３７０にて、上記と同様に、時間カウンタが開始される。ステップＳ３８０にて、時間カウンタが開始されてから時間ｔｘ２を経過したか、否かが判定される。ソレノイドＳＯＬへの通電時間が時間ｔｘ２となった場合（「ＹＥＳ」の場合）には、ステップＳ３９０に進む。一方、ソレノイドＳＯＬへの通電時間が時間ｔｘ２未満の場合（「ＮＯ」の場合）には、ステップＳ３６０に戻る。ステップＳ３６０からステップＳ３８０までの処理は、つめ部材ＴＳＵをラチェット歯車ＲＣＨに、確実に押し付けるためのもので、「つめ押圧処理」と称呼される。
【００８７】
ステップＳ３９０にて、電気モータＭＴＲが逆転方向に駆動される。即ち、電気モータＭＴＲが逆転する方向に回転するよう、予め設定された通電（負符号の通電量）が行われる。ステップＳ４００にて、時間カウンタが開始され、ステップＳ４１０にて歯車回転角Ｒｋａが読み込まれる。ステップＳ４２０にて、ステップＳ３３０にて設定された保持値ｒｋ０と、歯車回転角Ｒｋａとの偏差が所定範囲内にあるか、否かが判定される。保持値ｒｋ０と歯車回転角Ｒｋａとの差が値ｈｒ１以下であり、該所定範囲内にある場合（「ＹＥＳ」の場合）には、ステップＳ４３０に進む。一方、保持値ｒｋ０と歯車回転角Ｒｋａとの差が所定範囲外である場合（「ＮＯ」の場合）には、ステップＳ４８０に進む。ステップＳ３９０からステップＳ４３０までの処理は、つめ部材ＴＳＵとラチェット歯車ＲＣＨとを確実に咬み合せ、その状態を確認するためのもので、「咬合確保処理」と称呼される。
【００８８】
ステップＳ４３０の条件が満足されると、ステップＳ４５０にて電気モータＭＴＲへの通電が停止され、ステップＳ４６０にてソレノイドＳＯＬへの通電が停止される。そして、その時点の歯車回転角Ｒｋａが、値ｒｋ０として設定され、係合作動の咬合処理が終了される。ここで、値ｒｋ０は、「解除値」と称呼される。なお、解除値ｒｋ０は、ラチェット機構が咬み合っているか、否かの判定に採用させる。
【００８９】
ステップＳ４３０の条件が否定される場合は、つめ部材ＴＳＵとラチェット歯車ＲＣＨとが咬み合わされなかった場合である。このため、ステップＳ４８０にて、押圧力Ｆｂａ、及び、目標通電量Ｉｍｔが読み込まれ、ステップＳ４９０にて、目標通電量Ｉｍｔが所定値ｉｍｘだけ増加される。ステップＳ５００にて、押圧力Ｆｂａが下方値ｆｂｓよりも大きいか、否かが判定される。押圧力Ｆｂａが値ｆｂｓよりも大きい場合（「ＹＥＳ」の場合）には、ステップＳ３００に戻り、再度、咬合処理が開始される。一方、押圧力Ｆｂａが値ｆｂｓ以下である場合（「ＮＯ」の場合）には、処理はステップＳ４８０に戻り、さらに、所定値ｉｍｘが加えられて、目標通電量Ｉｍｔが増加される。ステップＳ４２０、Ｓ４８０〜Ｓ５００の処理によって、上記の所定範囲内の駐車ブレーキ時の押圧力が確保され得る。
【００９０】
＜駐車ブレーキ制御の係合作動＞
図８の時系列線図（時間Ｔに対する遷移図）を参照して、駐車ブレーキ制御の係合作動について説明する。図８（ａ）は、駐車スイッチＰＳＷがオフからオンに切り替えられた時に、押圧力Ｆｂａが下方値ｆｂｓ（予め設定された所定値）よりも小さい場合を示す。また、図８（ｂ）は、駐車スイッチＰＳＷがオフからオンに切り替えられた時に、押圧力Ｆｂａが上方値ｆｂｕ（下方値ｆｂｓ以上の予め設定された所定値）よりも大きい場合を示す。
【００９１】
先ず、図８（ａ）を参照して、駐車スイッチＰＳＷがオンされた時点において、実際の押圧力Ｆｂａが下方値（しきい値）ｆｂｓよりも小さい場合について説明する。時点ｔ１では、車両は停車しており、運転者の制動操作部材ＢＰの操作量Ｂｐａが値ｂｐｃであり、該操作量ｂｐｃに対応する実押圧力Ｆｂａが、下方値ｆｂｓよりも小さい値ｆｂｃである。この時点ｔ１にて、運転者が駐車スイッチＰＳＷをオフからオンに切り替える。この操作によって、駐車信号Ｐｓｗがオフからオンに切り替えられる。駐車信号Ｐｓｗの変化（遷移）にしたがって、駐車ブレーキの制御状態が、解除維持状態から係合作動状態へと切り替えられる。即ち、係合作動の押圧力調整処理が開始され、予め設定されたパターン（時間に対する増加勾配ｋｚ０）にて、駐車通電量Ｉｐｔが出力され、駐車通電量Ｉｐｔと指示通電量Ｉｍｓとが比較され、それらのうちの大きい方が目標通電量Ｉｍｔとして決定される。
【００９２】
具体的には、時点ｔ１から時点ｔ２までは、操作量Ｂｐａに基づく指示通電量Ｉｍｓの方が、駐車通電量Ｉｐｔよりも大きいため、目標通電量Ｉｍｔとして指示通電量Ｉｍｓが採用される。時間の経過にしたがって駐車通電量Ｉｐｔが増加するため、時点ｔ２にて、駐車通電量Ｉｐｔが指示通電量Ｉｍｓ以上となり、目標通電量Ｉｍｔとして、駐車通電量Ｉｐｔが採用される。時点ｔ２以降は、目標通電量Ｉｍｔとして駐車通電量Ｉｐｔが採用され、目標通電量Ｉｍｔ（結果として、実際の通電量Ｉｍａ）が順次増加される。ここで、通電量フィードバック制御によって、通電量の目標値Ｉｍｔと実際値Ｉｍａとが一致するよう制御されるため、実際の通電量Ｉｍａは、目標通電量Ｉｍｔと重なっている。
【００９３】
時点ｔ３にて、実押圧力Ｆｂａが下方値ｆｂｓ以上（Ｆｂａ≧ｆｂｓ）の条件が満足されると、ラチェット歯車ＲＣＨ（即ち、電気モータＭＴＲ）の回転運動を停止するため、目標通電量Ｉｍｔが一定値ｉｍ１に維持される。ここで、時点ｔ３が、「ロック機構ＬＯＫの作動の開始」に相当する。歯車回転角Ｒｋａの停止状態が所定時間ｔｘ１に亘って確認された時点ｔ４にて、つめ部材ＴＳＵをラチェット歯車ＲＣＨに咬み合せるために、ソレノイドＳＯＬへの通電が開始される。ソレノイドＳＯＬは、弾性部材（戻しばね）ＳＰＲの弾性力に対抗してつめ部材ＴＳＵを押圧しなければならない。このため、つめ部材ＴＳＵは瞬時にはラチェット歯車ＲＣＨまで移動されない。つめ部材ＴＳＵとラチェット歯車ＲＣＨとの接触を確実にするため、目標通電量Ｉｍｔを保持した状態でのソレノイドＳＯＬへの通電が所定時間ｔｘ２に亘って継続される。なお、歯車回転角Ｒｋａが一定状態を維持する場合の歯車回転角Ｒｋａの値（ラチェット歯車ＲＣＨの回転停止が確認された時点の歯車回転角Ｒｋａ）が、保持値ｒｋ１として記憶（設定）される。
【００９４】
所定時間ｔｘ２が経過した時点ｔ５にて、つめ部材ＴＳＵとラチェット歯車ＲＣＨとの咬み合いを確実にするため、電気モータＭＴＲが逆転駆動（Ｒｖｓ方向へ回転）される。具体的には、時点ｔ５にて、目標通電量Ｉｍｔが値ｉｍ１からゼロまで急減される。そして、時点ｔ５以降、目標通電量Ｉｍｔは、時間に対する減少勾配ｋｇ０で、負方向（電気モータＭＴＲが逆転駆動される方向）へ徐々に減少される。
【００９５】
時点ｔ５から、歯車回転角Ｒｋａの変化が所定範囲内であるか、否かが監視される。具体的には、歯車回転角Ｒｋａと保持値ｒｋ１との偏差が演算され、該偏差が値（所定のしきい値）ｈｒ１以下であるか、否かが判定される。歯車回転角Ｒｋａと保持値ｒｋ０との偏差が所定値ｈｒ１未満の状態（所定範囲内にある状態）が所定時間ｔｘ３に亘って継続されると、時点ｔ６にて、ソレノイドＳＯＬ、及び、電気モータＭＴＲへの通電が停止される。即ち、時点ｔ６にて、係合作動状態（咬合処理）が終了されて、係合維持状態が開始される。なお、時点ｔ６における歯車回転角Ｒｋａが解除値ｒｋ０として記憶（設定）される。
【００９６】
次に、図８（ｂ）を参照して、駐車スイッチＰＳＷがオンされた時点において、実際の押圧力Ｆｂａが上方値（しきい値）ｆｂｕよりも大きい場合について説明する。時点ｕ１では、車両は停車しており、運転者の制動操作部材ＢＰの操作量Ｂｐａが値ｂｐｄであり、該操作量ｂｐｄに対応する実押圧力Ｆｂａが、上方値ｆｂｕ（≧ｆｂｓ）よりも大きい値ｆｂｄである。
【００９７】
図８（ａ）の場合と同様に、時点ｕ１にて、運転者が駐車スイッチＰＳＷをオフからオンに切り替える。この操作によって、駐車信号Ｐｓｗがオフからオンに切り替えられる。駐車信号Ｐｓｗの変化（遷移）にしたがって、駐車ブレーキの制御状態が、解除維持状態から係合作動状態へと切り替えられる。即ち、係合作動の押圧力調整処理が開始される。「Ｆｂａ＞ｆｂｕ」の条件が成立しているため、目標通電量Ｉｍｔとして、操作量Ｂｐａに基づく指示通電量Ｉｍｓが採用されている。時点ｕ１以降も、運転者が制動操作部材ＢＰの操作量Ｂｐａを減少するまでは、目標通電量Ｉｍｔは減少しない。ここで、通電量フィードバック制御によって、通電量の目標値Ｉｍｔと実際値Ｉｍａとが一致するよう制御されるため、実際の通電量Ｉｍａは、目標通電量Ｉｍｔと重なっている。
【００９８】
時点ｕ２にて、運転者が制動操作部材ＢＰを戻し始めると、操作量Ｂｐａの減少に伴って、目標通電量Ｉｍｔが減少し、実押圧力Ｆｂａも減少し始める。実押圧力Ｆｂａが上方値ｆｂｕ以下（Ｆｂａ≦ｆｂｕ）の条件が満足されると、ラチェット歯車ＲＣＨ（即ち、電気モータＭＴＲ）の回転運動を停止するため、目標通電量Ｉｍｔが一定値ｉｍ２（上限値ｉｐｍ以上の値）に維持される。ここで、時点ｕ３が、「ロック機構ＬＯＫの作動の開始」に相当する。
【００９９】
時点ｕ３以降は、図８（ａ）の場合の時点ｔ３以降と同様の処理が実行される。歯車回転角Ｒｋａの停止状態が所定時間ｔｘ１に亘って確認された時点ｕ４にて、つめ部材ＴＳＵをラチェット歯車ＲＣＨに咬み合せるために、ソレノイドＳＯＬへの通電が開始される。つめ部材ＴＳＵがラチェット歯車ＲＣＨを確実に押圧するため、目標通電量Ｉｍｔを保持した状態でのソレノイドＳＯＬへの通電が所定時間ｔｘ２に亘って継続される。ここで、歯車回転角Ｒｋａが一定状態を維持する場合の歯車回転角Ｒｋａの値が、保持値ｒｋ１として記憶（設定）される。所定時間ｔｘ２が経過した時点ｔ５にて、つめ部材ＴＳＵとラチェット歯車ＲＣＨとの咬み合いを確実にするため、電気モータＭＴＲが逆転駆動（Ｒｖｓ方向へ回転）される。具体的には、時点ｔ５にて、目標通電量Ｉｍｔが値ｉｍ１からゼロまで急減される。そして、時点ｔ５以降、目標通電量Ｉｍｔは、時間に対する減少勾配ｋｇ０で、負方向（電気モータＭＴＲが逆転駆動される方向）へ徐々に減少される。時点ｕ５から、Ｒｋａと保持値ｒｋ１との偏差が所定値ｈｒ１未満の状態が所定時間ｔｘ３に亘って継続されると、時点ｕ６にて、ソレノイドＳＯＬ、及び、電気モータＭＴＲへの通電が停止され、係合作動状態の咬合処理が終了される。ここで、時点ｕ６における歯車回転角Ｒｋａが解除値ｒｋ０として記憶（設定）される。
【０１００】
ここで、図８（ａ）（ｂ）において、時点ｔ１〜ｔ３、時点ｕ１〜ｕ３が、係合作動の押圧力調整処理に該当する。また、時点ｔ３〜ｔ４、時点ｕ３〜ｕ４が歯車停止処理に、時点ｔ４〜ｔ５、時点ｕ４〜ｕ５がつめ押圧処理に、時点ｔ５〜ｔ６、時点ｕ５〜ｕ６が咬合確認処理に、夫々、対応する。（図４参照）
【０１０１】
図８（ａ）に示すように、駐車スイッチＰＳＷがオフからオンに切り替えられた時点（該当する演算周期であり、切替時点という）において、実際の押圧力Ｆｂａが下方値ｆｂｓよりも小さい場合には、制御手段ＣＴＬによって、実押圧力Ｆｂａが下方値ｆｂｓ以上になるまで、電気モータＭＴＲが駆動される。そして、実押圧力Ｆｂａが下方値ｆｂｓ以上を満足した時点（演算周期）において、ロック機構ＬＯＫの作動が開始される。
【０１０２】
運転者による制動操作部材ＢＰの操作に基づく通常ブレーキ制御を駐車ブレーキ制御よりも優先する電動制動装置ＤＳＳにおいて、操作量Ｂｐａが大であり、実押圧力Ｆｂａが過大となっている状態（例えば、実際の押圧力Ｆｂａが上方値ｆｂｕよりも大きい場合）で、切替時点でロック機構が作動される（例えば、ラチェット歯車ＲＣＨとつめ部材ＴＳＵとが咬み合わされる）と、過大な押圧力Ｆｂａで駐車ブレーキが係合維持状態となる。このような状況を想定して、制動手段ＢＲＫが設計されると、強度を確保するため、装置全体が大型化され得る。
【０１０３】
上記の課題を解消するため、図８（ｂ）に示すように、駐車スイッチＰＳＷがオフからオンに切り替えられた切替時点（切り替えが生じた演算周期）で、実際の押圧力Ｆｂａが上方値ｆｂｕよりも大きい場合には、切替時点において、ロック機構ＬＯＫの作動は直ちには開始されない。運転者が制動操作部材ＢＰの操作量Ｂｐａを減少し、実際の押圧力Ｆｂａが上方値ｆｂｕ以下になることを待って、ロック機構ＬＯＫの作動が開始される。これによれば、制動操作部材ＢＰが強く操作された場合においても、運転者の制動操作が優先され、且つ、適正な押圧力（押圧力が所定の値ｆｂｓから値ｆｂｕの範囲内）にて駐車ブレーキが係合維持状態とされるため、装置が小型・軽量化され得る。
【０１０４】
以上の説明では、ラチェット歯車ＲＣＨに固定された歯車回転角取得手段ＲＫＡの出力（歯車回転角）Ｒｋａに基づいて、咬合処理が行われることとしている。ラチェット歯車ＲＣＨと電気モータＭＴＲとは同軸、又は、減速機ＧＳＫを介して接続されるため、歯車回転角取得手段ＲＫＡとして、モータ回転角取得手段ＭＫＡが採用され、モータ回転角Ｍｋａに基づいて、咬合処理が実行され得る。
【０１０５】
＜駐車ブレーキ用のロック機構の第２実施形態＞
図９の概要図を参照して、駐車ブレーキ用ロック機構ＬＯＫの第２実施形態について説明する。第１実施形態では、つめ部材ＴＳＵとラチェット歯車ＲＣＨとの咬み合せによって電気モータＭＴＲの回転がロックされるが、第２実施形態に係るロック機構ＬＯＫでは、ソレノイドアクチュエータＳＯＬのプッシュバーＰＳＢと円盤部材ＥＮＢとの咬み合いによって、駐車ブレーキの機能が発揮される。第１実施形態と同様に、プッシュバーＰＳＢと円盤部材ＥＮＢとが咬み合っている場合（電気モータＭＴＲの回転がロックされ、ロック機構ＬＯＫが作動している場合）が、駐車ブレーキが効いている状態であり、プッシュバーＰＳＢと円盤部材ＥＮＢとが咬み合っていない場合（電気モータＭＴＲは自由に回転できる状態でロック機構ＬＯＫが非作動の場合）が、駐車ブレーキが効いていない状態である。
【０１０６】
駐車ブレーキ用ロック機構ＬＯＫは、円盤部材ＥＮＢ、及び、ソレノイドアクチュエータＳＯＬにて構成される。円盤部材ＥＮＢは、入力部材ＳＦＩ（即ち、電気モータＭＴＲの出力軸）に固定されている。Ａ矢視図に示すように、円盤部材ＥＮＢには、複数の孔Ａｎａがあけられている。各孔Ａｎａは、ソレノイドＳＯＬのプッシュバーＰＳＢ（図３参照）が挿入可能とされている。ソレノイドＳＯＬはキャリパＣＲＰに固定されているため、円盤部材ＥＮＢの孔ＡｎａにプッシュバーＰＳＢが挿入されることによって、電気モータＭＴＲの回転運動がロック（拘束）される。なお、円盤部材ＥＮＢの孔ＡｎａにプッシュバーＰＳＢが挿入されていない場合には、電気モータＭＴＲの回転は規制されず、自由に回転することができる。
【０１０７】
プッシュバーＰＳＢと円盤部材ＥＮＢとの係合作動については、つめ部材ＴＳＵとラチェット歯車ＲＣＨとの係合作動と同一であるため、詳細な説明は省略される。図７、及び、図８を用いた説明において、つめ部材ＴＳＵをプッシュバーＰＳＢに、ラチェット歯車ＲＣＨを円盤部材ＥＮＢに、夫々、読み替えることによって、プッシュバーＰＳＢと円盤部材ＥＮＢとの係合作動（円孔ＡｎａへのプッシュバーＰＳＢの挿入作動）が説明され得る。第２の実施形態においても、第１の実施形態と同様の効果を奏する。
【符号の説明】
【０１０８】
ＢＰ…制動操作部材、ＰＳＷ…駐車スイッチ、ＭＴＲ…電気モータ、ＦＢＡ…押圧力取得手段、ＬＯＫ…駐車ブレーキ用ロック機構、ＲＣＨ…ラチェット歯車、ＴＳＵ…つめ部材、ＳＯＬ…ソレノイド、ＣＴＬ…制御手段
【図１】
0006465007.tif 000002
【図２】
0006465007.tif 000003
【図３】
0006465007.tif 000004
【図４】
0006465007.tif 000005
【図５】
0006465007.tif 000006
【図６】
0006465007.tif 000007
【図７】
0006465007.tif 000008
【図８】
0006465007.tif 000009
【図９】
0006465007.tif 000010